(57)【要約】      （修正有）【課題】抱えるだけで浮き袋となる手提げバッグを提供する。【解決手段】手提げバッグ１０は、長方形の外底部、外底部の長辺に連結する外幅広側部１２、外底部の短辺及び各外幅広側部１２の両側端に連結される外襠部１４、１５を有する外側袋１６と、外側袋１６の内側に配置され、長方形の内底部、内底部の長辺に連結する内幅広側部１８、１９、内底部の短辺及び各内幅広側部１８、１９の両側端に連結された内襠部２０、２１を有する内側袋２２と、外幅広側部１２の上部に設けられた吊下げバンド２３、２４とを有し、外幅広側部１２と内幅広側部１８の間、外幅広側部と内幅広側部１９の間には側浮力板材が、外底部と内底部の間には底浮力板材が配置され、外幅広側部１２の中央上部には先側が着脱可能に連結する掛止バンド要素２７、２８の基側が取付けられている。【選択図】図１
0003212632.tif 000002
【実用新案登録請求の範囲】
【請求項１】
長方形の外底部、該外底部の長辺に連結する対となる外幅広側部Ａ、Ａ´、並びに、前記外底部の短辺及び前記各外幅広側部Ａ、Ａ´の両側端に連結された対となる外襠部を有する外側袋と、
該外側袋の内側に配置され、長方形の内底部、該内底部の長辺に連結する対となる内幅広側部Ｂ、Ｂ´、並びに、前記内底部の短辺及び前記各内幅広側部Ｂ、Ｂ´の両側端に連結された対となる内襠部を有する内側袋と、
前記対となる外幅広側部Ａ、Ａ´の上部にそれぞれ設けられたＵ字状の吊下げバンドＣ、Ｃ´とを有するトートバッグタイプの手提げバッグにおいて、
前記外幅広側部Ａと前記内幅広側部Ｂの間、及び前記外幅広側部Ａ´と前記内幅広側部Ｂ´の間には、軽量発泡材からなる側浮力板材がそれぞれ配置されると共に、前記外底部と前記内底部の間には軽量発泡材からなる底浮力板材が配置され、前記外幅広側部Ａ、Ａ´の中央上部にはそれぞれ、先側が着脱可能に互いに連結して前記外側袋の開口幅を制限する掛止バンド要素Ｄ、Ｄ´の基側が取付けられていることを特徴とする手提げバッグ。
【請求項２】
請求項１記載の手提げバッグにおいて、前記側浮力板材の上端位置は前記外幅広側部Ａ、Ａ´の上端位置より高く、前記内幅広側部Ｂ、Ｂ´の上端部が前記側浮力板材の上端から外側に折り曲げられていることを特徴とする手提げバッグ。
【請求項３】
請求項１又は２記載の手提げバッグにおいて、前記外側袋及び前記内側袋は独立気泡を有する発泡ゴムシートから形成されていることを特徴とする手提げバッグ。
【請求項４】
請求項３記載の手提げバッグにおいて、前記外側袋及び前記内側袋の外表面にはそれぞれ合成繊維からなるジャージシートが貼られていることを特徴とする手提げバッグ。
【請求項５】
請求項１〜４のいずれか１項に記載の手提げバッグにおいて、前記吊下げバンドＣ、Ｃ´はその対向する端部同士が、前記外幅広側部Ａ、Ａ´及び前記外底部の各外表面に沿って設けられた接続バンドを介して連結されていることを特徴とする手提げバッグ。
【請求項６】
請求項１〜５のいずれか１項に記載の手提げバッグにおいて、前記外側袋の色彩と、前記内側袋の色彩は異なることを特徴とする手提げバッグ。
【考案の詳細な説明】
【技術分野】
【０００１】
本考案は、通常はトートバッグタイプの手提げバッグとして使用し、水難に遭遇した際には抱えるだけで浮き袋となる手提げバッグに関する。
【背景技術】
【０００２】
予測不能な水難事故に備えるためにはライフジャケット等の救命具を常に携行することが望ましいが、個人が日常生活で水辺（河川、池、湖等の畔）を移動する際にも救命具を携行することは現実的ではない。
そこで、例えば、特許文献１には、日常的に携行するバッグを、万一の水難事故に際して素早く浮き袋として代用する水に浮くエコバッグが提案されている。
【先行技術文献】
【特許文献】
【０００３】
【特許文献１】特許第５９６７３６３号公報
【考案の概要】
【考案が解決しようとする課題】
【０００４】
しかしながら、特許文献１の水に浮くエコバッグを使用する場合、ワイヤーつまみを操作してエコバッグの内部空間を素早く確保し、次いで開口部のファスナーを閉じて完全防水の袋に変形させるという一連の動作が必要があり、誰もがこのような一連の動作を緊急時に滞りなく実行できるということは期待できない。
【０００５】
本考案はかかる事情に鑑みてなされたもので、通常はトートバッグタイプの手提げバッグとして使用でき、水難に遭遇した際には抱えるだけで浮き袋として使用可能な手提げバッグを提供することを目的とする。
【課題を解決するための手段】
【０００６】
前記目的に沿う本考案に係る手提げバッグは、長方形の外底部、該外底部の長辺に連結する対となる外幅広側部Ａ、Ａ´、並びに、前記外底部の短辺及び前記各外幅広側部Ａ、Ａ´の両側端に連結された対となる外襠部を有する外側袋と、
該外側袋の内側に配置され、長方形の内底部、該内底部の長辺に連結する対となる内幅広側部Ｂ、Ｂ´、並びに、前記内底部の短辺及び前記各内幅広側部Ｂ、Ｂ´の両側端に連結された対となる内襠部を有する内側袋と、
前記対となる外幅広側部Ａ、Ａ´の上部にそれぞれ設けられたＵ字状の吊下げバンドＣ、Ｃ´とを有するトートバッグタイプの手提げバッグにおいて、
前記外幅広側部Ａと前記内幅広側部Ｂの間、及び前記外幅広側部Ａ´と前記内幅広側部Ｂ´の間には、軽量発泡材からなる側浮力板材がそれぞれ配置されると共に、前記外底部と前記内底部の間には軽量発泡材からなる底浮力板材が配置され、前記外幅広側部Ａ、Ａ´の中央上部にはそれぞれ、先側が着脱可能に互いに連結して前記外側袋の開口幅を制限する掛止バンド要素Ｄ、Ｄ´の基側が取付けられている。
【０００７】
本考案に係る手提げバッグにおいて、前記側浮力板材の上端位置は前記外幅広側部Ａ、Ａ´の上端位置より高く、前記内幅広側部Ｂ、Ｂ´の上端部が前記側浮力板材の上端から外側に折り曲げられていることが好ましい。
これによって、外側袋と内側袋の色彩を変えた場合は、手提げバッグの開口部が明確となり、手提げバッグ内への物品の挿入、内側袋内からの物品の取出しを容易に行うことができる。
【０００８】
本考案に係る手提げバッグにおいて、前記外側袋及び前記内側袋は独立気泡を有する発泡ゴムシートから形成されていることが好ましい。
これによって、伸縮性、軽量性、及び耐水性を有し、かつ手触り及び肌触りの良い手提げバッグを形成することができる。
【０００９】
本考案に係る手提げバッグにおいて、前記外側袋及び前記内側袋の外表面にはそれぞれ合成繊維からなるジャージシートが貼られていることが好ましい。
外側袋及び内側袋の外表面にそれぞれジャージシートを貼ることにより、外側袋及び内側袋の伸縮性を阻害せずに外側袋及び内側袋の各表面と物品との間の摩擦力を下げることができ、手提げバッグを携行する際の違和感を低減させることができると共に、物品の挿入及び取出しが更に容易にできる。
【００１０】
本考案に係る手提げバッグにおいて、前記吊下げバンドＣ、Ｃ´はその対向する端部同士が、前記外幅広側部Ａ、Ａ´及び前記外底部の各外表面に沿って設けられた接続バンドを介して連結されていることが好ましい。
これによって、外側袋の外底部に加わる力を吊下げバンドＣ、Ｃ´で支えることができ、手提げバッグに物品を挿入した際のバッグ変形を防止することができる。
【００１１】
本考案に係る手提げバッグにおいて、前記外側袋の色彩と、前記内側袋の色彩は異なることが好ましい。
これによって、外側袋と内側袋が明確となり、手提げバッグ内への物品の挿入及び手提げバッグ内からの物品の取出しが更にを容易にできると共に、デザイン性が向上する。
【考案の効果】
【００１２】
本考案に係る手提げバッグでは、外側袋と内側袋の間に側浮力板材及び底浮力板材が配置されているので、手提げバッグ自体でも浮力を有し、手提げバッグを抱えるだけで直ちに浮き袋として使用できる。
更に、手提げバッグを分離することなく、そのまま浮き袋として使用できるので、側壁の分離や組み立ては特に必要ではなく、浮き袋として素早く使用できる。
側浮力板材及び底浮力板材は外側袋と内側袋の間に閉じ込まれた状態となっているので、外幅広側部Ａ、Ａ´と内幅広側部Ｂ、Ｂ´の間に側浮力板材をそれぞれ配置すると共に、外底部と内底部の間に底浮力板材を配置することで、手提げバッグ内の空間部を直方体形状に保つことができ、物品の挿入及び取出しが容易にできる。
また、側浮力板材及び底浮力板材は外側袋と内側袋の間で容易に移動させることができるので、手提げバッグを折り畳むことができる。更には、側浮力板材及び底浮力板材は外側袋と内側袋の間で連結や縫合はされないので、浮力板材の形状に沿って手提げバッグの形状を整えることができる。
即ち、本考案に係る手提げバッグは、外側袋と内側袋との間に浮力板材を入れて、外側袋の幅方向中央側上部にＵ字状の吊下げバンドを設けてなる。
【図面の簡単な説明】
【００１３】
【図１】本考案の一実施の形態に係る手提げバッグの斜視図である。
【図２】同手提げバッグの部分断面斜視図である。
【図３】同手提げバッグの正面図である。
【図４】同手提げバッグの背面図である。
【考案を実施するための形態】
【００１４】
続いて、添付した図面を参照しつつ、本考案を具体化した実施の形態につき説明し、本考案の理解に供する。
図１、図２に示すように、本考案の一実施の形態に係る手提げバッグ１０はトートバッグタイプの手提げバッグであって、長方形の外底部１１、外底部１１の長辺に連結する対となる外幅広側部１２、１３（外幅広側部Ａ、Ａ´の一例）、並びに、外底部１１の短辺及び各外幅広側部１２、１３の両側端に連結された対となる外襠部１４、１５を有する外側袋１６と、外側袋１６の内側に配置され、長方形の内底部１７、内底部１７の長辺に連結する対となる内幅広側部１８、１９（内幅広側部Ｂ、Ｂ´の一例）、並びに、内底部１７の短辺及び各内幅広側部１８、１９の両側端に連結された対となる内襠部２０、２１を有する内側袋２２と、対となる外幅広側部１２、１３の上部にそれぞれ設けられたＵ字状の吊下げバンド２３、２４（吊下げバンドＣ、Ｃ´の一例）とを有している。以下、詳細に説明する。
【００１５】
外幅広側部１２と内幅広側部１８の間、及び外幅広側部１３と内幅広側部１９の間には、ウレタンフォーム（軽量発泡材の一例）からなる側浮力板材２５がそれぞれ配置されると共に、外底部１１と内底部１７の間にはウレタンフォーム（軽量発泡材の一例）からなる底浮力板材２６が配置され、外幅広側部１２、１３の中央上部にはそれぞれ、先側が着脱可能に互いに連結して外側袋１６の開口幅を制限する掛止バンド要素２７、２８（掛止バンド要素Ｄ、Ｄ´の一例）の基側が取付けられている。
なお、図２に示すように、側浮力板材２５と底浮力板材２６はそれぞれ厚さが５〜１２ｍｍの２枚のウレタンフォーム材を重ねて使用しているが、例えば、ウレタンフォーム材を必要枚数重ねて使用しても、必要な厚さのウレタンフォーム材を一体で作製してもよい。
この実施の形態では、軽量発泡材の一例としてウレタンフォームを使用したが、他の独立気泡の発泡ゴム材、発泡樹脂材であってもよい。
【００１６】
外底部１１と内底部１７はいずれも平面視して長方形であるため、外側袋１６と内側袋２２の外形状は直方体となる。このため、直方体形状の外側袋１６では外底部１１に対向する領域に、直方体形状の内側袋２２では内底部１７に対向する領域に、それぞれ長方形状の開口が形成されることになる。なお、内側袋２２の高さは外側袋１６の高さより高く形成されている。
【００１７】
外側袋１６と内側袋２２は、外側袋１６内に底浮力板材２６及び対となる側浮力板材２５を収納した後、外側袋１６内に内側袋２２を内底部１７側から挿入し、内底部１７の長辺（短辺）が外側袋１６の外底部１１の長辺（短辺）と方向を揃えるように向きを調整して、外側袋１６の開口と内底部１７の開口の対向する部分同士を接着剤で接合し縫合することにより一体化されている。ここで、符号２９は外側袋１６の開口と内側袋２２の開口の縫合部である。
【００１８】
外側袋１６と内側袋２２の間で、外底部１１と底浮力板材２６の長辺（短辺）同士が方向を揃えるように底浮力板材２６の方向を調整して外底部１１上に底浮力板材２６を配置し、次いで、底浮力板材２６上で側浮力板材２５を移動させて外幅広側部１２、１３と内幅広側部１８、１９の隙間にそれぞれ側浮力板材２５を配置することにより手提げバッグ１０が形成される。
手提げバッグ１０の内側袋２２内に形成される空間部は、内側袋２２の外側が側浮力板材２５と底浮力板材２６で囲まれるため直方体形状に保つことが容易となり、手提げバッグ１０内への物品の挿入や、手提げバッグ１０内からの物品の取出しが容易にできる。
【００１９】
外側袋１６と内側袋２２の間に底浮力板材２６及び対となる側浮力板材２５が存在するので、手提げバッグ１０自体が浮力を有することになって、手提げバッグ１０を抱えるだけで直ちに浮き袋として使用できる。
側浮力板材２５及び底浮力板材２６は外側袋１６と内側袋２２の間で連結や縫合はされていないので、底浮力板材２６及び対となる側浮力板材２５をそれぞれ容易に移動させることができ、底浮力板材２６及び対となる側浮力板材２５の形状に沿って手提げバッグ１０の形状を整えることができる。例えば、外側袋１６から内側袋２２を引出し底浮力板材２６及び対となる側浮力板材２５を一列に並べて平板状とすることで板状の浮き袋を形成することができ、対となる側浮力板材２５を重ねその上に底浮力板材２６を載せてブロック状とし、これを芯にして外側袋１６及び内側袋２２を折り込むことで、手提げバッグ１０をコンパクトに折り畳むことができる。
【００２０】
ここで、側浮力板材２５の上端位置は外幅広側部１２、１３の上端位置より高くなって、内幅広側部１８、１９の上端部が側浮力板材２５の上端から外側に折り曲げられる状態とすることができる。このため、内側袋２２の上端部が手提げバッグ１０の開口部を形成し、手提げバッグ１０（内側袋２２）内への物品の挿入、手提げバッグ１０（内側袋２２）内からの物品の取出しが容易にできる。
【００２１】
外側袋１６と内側袋２２は発泡クロロプレンゴムシート（独立気泡を有する発泡ゴムシートの一例）から形成されている。更に、外側袋１６と内側袋２２の外表面にはナイロン繊維（合成繊維の一例）からなるジャージシート３０、３１が貼られている。ジャージシート３０、３１を貼ることにより、外側袋１６及び内側袋２２の伸縮性を阻害せずに外側袋１６及び内側袋２２の各表面と物品との間の摩擦力を下げることができ、手提げバッグ１０を携行する際の違和感を低減させることができると共に、手提げバッグ１０内への物品の挿入、手提げバッグ１０内からの物品の取出しが更に容易にできる。
更に、外側袋１６の外表面に張るジャージシート３０と内側袋２２の外表面に張るジャージシート３１の色を変えることで、外側袋１６の色彩と内側袋２２の色彩を変えることができ、外側袋１６と内側袋２２が明確となり（手提げバッグ１０の開口部が明確となり）、デザイン性を向上させることができる。
【００２２】
ここで、外側袋１６及び内側袋２２を構成する発泡クロロプレンゴムシートのそれぞれの厚さの下限は１ｍｍ、好ましくは１．２ｍｍであり、上限は２ｍｍ、好ましくは１．８ｍｍである。外側袋１６及び内側袋２２のそれぞれの厚さが薄すぎると、角張った物品を手提げバッグ１０（内側袋２２）内に挿入した際に物品の角が手提げバッグ１０（外側袋１６）の表面から突出し易く好ましくない。また、外側袋１６及び内側袋２２のそれぞれの厚さが厚すぎると、手提げバッグ１０が大型化し易く、しかも折り畳み難くなるため好ましくない。
【００２３】
図１、図３、図４に示すように、吊下げバンド２３、２４はその対向する端部同士が、外幅広側部１２、１３及び外底部１１の各外表面に沿って設けられた接続バンド３２、３３を介して連結されている。そして、外底部１１の外表面に当接する接続バンド３２、３３の領域は外底部１１に縫い付けられている。これによって、外側袋１６の外底部１１に加わる力（物品の重さ）を対となる吊下げバンド２３、２４で効果的に支えることができ、手提げバッグ１０に物品を挿入した際のバッグ変形を防止することができる。
なお、吊下げバンド２４には、長さ方向中間部が吊下げバンド２４に取付けられ、吊下げバンド２４に重ねられた吊下げバンド２３を吊下げバンド２４と共に束ねて両側部で覆う結束帯３４と、結束帯３４の両側部にそれぞれ設けられたフックテープ部３５とループテープ部３６を有する面ファスナ３７を備えた結束手段３８が設けられている。吊下げバンド２３、２４を結束手段３８で束ねることで、吊下げバンド２３、２４を手で掴み易い状態にすることができる。
【００２４】
図１、図３に示すように、外幅広側部１２の中央上部に基側が取付けられた掛止バンド要素２７の先側にはサイドリリースバックル３９を構成する受入れ側部分バックル４０が設けられている。また、図１、図４に示すように、外幅広側部１３の中央上部に基側が取付けられた掛止バンド要素２８の先側にはサイドリリースバックル３９を構成する挿入側部分バックル４１が設けられている。掛止バンド要素２７、２８の先側をサイドリリースバックル３９を介して連結すると、外幅広側部１２、１３の中央上部が掛止バンド要素２７、２８で連結されることになって、外側袋１６の開口幅が掛止バンド要素２７、２８の長さを超えて開くことが防止できる。
【００２５】
図１、図３に示すように、外幅広側部１２に取付けられた吊下げバンド２３の両端側、接続バンド３２、３３の一端側、及び掛止バンド要素２７の基側は、外幅広側部１２に取付けられた補強バンド４２を介して連結され、図４に示すように、外幅広側部１３に取付けられた吊下げバンド２４の両端側、接続バンド３２、３３の他端側、及び掛止バンド要素２８の基側は、外幅広側部１３に取付けられた補強バンド４３を介して連結されている。これにより、吊下げバンド２３、２４の両端側が補強バンド４２、４３を介して外幅広側部１２、１３に連結されることになり、外幅広側部１２、１３を吊下げバンド２３、２４の両端側で略均等に吊下げることができ、手提げバッグ１０に物品を挿入した際の外幅広側部１２、１３の変形を防止できる。
【００２６】
以上、本考案を、実施の形態を参照して説明してきたが、本考案は何ら上記した実施の形態に記載した構成に限定されるものではなく、実用新案登録請求の範囲に記載されている事項の範囲内で考えられるその他の実施の形態や変形例も含むものである。
【符号の説明】
【００２７】
１０：手提げバッグ、１１：外底部、１２、１３：外幅広側部、１４、１５：外襠部、１６：外側袋、１７：内底部、１８、１９：内幅広側部、２０、２１：内襠部、２２：内側袋、２３、２４：吊下げバンド、２５：側浮力板材、２６：底浮力板材、２７、２８：掛止バンド要素、２９：縫合部、３０、３１：ジャージシート、３２、３３：接続バンド、３４：結束帯、３５：フックテープ部、３６：ループテープ部、３７：面ファスナ、３８：結束手段、３９：サイドリリースバックル、４０：受入れ側部分バックル、４１：挿入側部分バックル、４２、４３：補強バンド
【図１】
0003212632.tif 000003
【図２】
0003212632.tif 000004
【図３】
0003212632.tif 000005
【図４】
0003212632.tif 000006